(57)【要約】【課題】免震効果を損なわず、かつ、大振幅の地震動に対しては高い減衰力を発揮可能なダンパの提供である。【解決手段】本発明の免震用ダンパＤは、シリンダ１と、シリンダ１内を伸側室Ｒ１と圧側室Ｒ２とに区画するピストン２と、ロッド３とを備え、ピストン速度が低速域にあっては低減衰力を出力し、ピストン速度が高速域にあっては高減衰力を出力し、ピストン速度が低速域と高速域の間の中速域では、ピストン速度の増加に応じて低減衰力から高減衰力へ減衰力を増加させる減衰力特性を有する。【選択図】図１
2018003853.tif 000002
【特許請求の範囲】
【請求項１】
シリンダと、
前記シリンダ内に摺動自在に挿入されて前記シリンダ内を伸側室と圧側室とに区画するピストンと、
前記シリンダに挿入されるとともに前記ピストンに連結されるロッドとを備え、
前記シリンダに対する前記ピストンの速度であるピストン速度が低速域にあっては低減衰力を出力し、前記ピストン速度が高速域にあっては高減衰力を出力し、ピストン速度が低速域と高速域の間の中速域では、前記低速域および前記高速域よりも大きな減衰係数で前記ピストン速度の増加に応じて低減衰力から高減衰力へ減衰力を増加させる減衰力特性を有する
ことを特徴とする免震用ダンパ。
【請求項２】
前記伸側室から前記圧側室へ向かう液体の流れのみを許容する伸側通路と、
前記圧側室から前記伸側室へ向かう液体の流れのみを許容する圧側通路と、
リザーバと、
前記圧側室から前記リザーバへ向かう液体の流れのみを許容する排出通路と、
前記伸側通路、前記圧側通路と前記排出通路のそれぞれに設けた調圧弁と前記調圧弁に並列されるリリーフ弁とを備え、
前記調圧弁にて前記ピストン速度が前記低速域から前記中速域までの減衰力特性を得るとともに、
前記リリーフ弁にて前記ピストン速度が前記高速域の減衰力特性を得る
ことを特徴とする免震用ダンパ。
【発明の詳細な説明】
【技術分野】
【０００１】
この発明は、免震用ダンパに関する。
【背景技術】
【０００２】
免震装置は、地盤と構造物との間に介装されるボールアイソレータやゴムといった支持装置を備え、構造物を地盤に対して変位可能に支持しており、地震動の構造物への伝達を絶縁するようになっている。免震装置には、上記のような支持装置の他に、地盤と構造物との間に介装されるダンパを備える場合もあり、構造物の振動をダンパが発生する減衰力で減衰させて構造物の振動を抑制するようになっている。
【０００３】
このように免震装置に併用される免震用のダンパは、構造物の振動を抑制できるが、ピストン速度が高速域に達する大きな揺れに対してダンパの減衰力が過大となると構造物に大きな加速度が作用して柱や梁などが変形してしまう可能性がある。
【０００４】
よって、免震用のダンパにあっては、調圧弁とリリーフ弁とを備えており、図６に示すように、ピストン速度が速くなるとリリーフ弁が開弁して減衰係数を小さくして、高速時における減衰力が過多となるのを防止し、構造物の保護を図っている（たとえば、特許文献１参照）。
【先行技術文献】
【特許文献】
【０００５】
【特許文献１】特開２００５−２４８５２０号公報
【発明の概要】
【発明が解決しようとする課題】
【０００６】
しかしながら、前述のダンパでは、免震装置の免震効果を阻害してしまう場合がある。前述のダンパの減衰力特性（ピストン速度に対してダンパが発生する減衰力の特性）は、減衰係数が小さく切り換わるまでは、つまり、リリーフ弁が開弁するまでは、調圧弁の減衰係数が大きくピストン速度の増加に対して減衰力の増加量も大きい特性となっている。
【０００７】
すると、ピストン速度が低速域にあってもダンパが発生する減衰力が過多となって、地震動を構造物に伝達してしまい免震装置の免震効果を阻害してしまう場合がある。
【０００８】
そうかと言って、リリーフ弁が開弁するまでは減衰係数を低くして免震効果を得ようとすると、以下の問題が生じる。具体的には、大振幅の地震動が発生した場合に、今度は減衰力不足に陥りダンパが最伸長或いは最収縮するか、或いは、構造物が地盤に対する構造物の変位を抑制するストッパに衝突して、構造物に衝撃的な加速度を作用させてしまう可能性がある。
【０００９】
そこで、本発明は前記問題を解決するために創案されたものであって、その目的は、免震効果を損なわず、かつ、ピストン速度が高速域に達する大振幅の地震動に対しては高い減衰力を発揮可能なダンパの提供である。
【課題を解決するための手段】
【００１０】
上記した目的を達成するために、本発明の免震用ダンパは、シリンダと、シリンダ内を伸側室と圧側室とに区画するピストンと、ロッドとを備え、ピストン速度が低速域にあっては低減衰力を出力し、ピストン速度が高速域にあっては高減衰力を出力し、ピストン速度が低速域と高速域の間の中速域では、ピストン速度の増加に応じて低減衰力から高減衰力へ減衰力を増加させる減衰力特性を有する。よって、免震用ダンパは、ピストン速度が低い場合には、低い減衰力しか発揮せずに構造物への振動絶縁性を阻害せず、ピストン速度が高速に達する大きな振動が構造物に作用する場面では高い減衰力を発揮できる。
【００１１】
また、請求項２の免震用ダンパでは、伸側通路、圧側通路と排出通路のそれぞれに設けた調圧弁と前記調圧弁に並列されるリリーフ弁とを備え、調圧弁にてピストン速度が低速域から中速域までの減衰力特性を得るとともに、リリーフ弁にて前記ピストン速度が前記高速域の減衰力特性を得る。このように構成された免震用ダンパでは、簡単な構成でピストン速度に応じて低減衰力から高減衰力へ変化する減衰力特性を実現できる。
【発明の効果】
【００１２】
よって、本発明の免震用ダンパによれば、免震効果を損なわず、かつ、ピストン速度が高速域に達する大振幅の地震動に対しては高い減衰力を発揮できる。
【図面の簡単な説明】
【００１３】
【図１】一実施の形態における免震用ダンパの概略断面図である。
【図２】調圧弁の圧力流量特性図である。
【図３】調圧弁の一例における断面図である。
【図４】減衰部の圧力流量特性図である。
【図５】免震用ダンパの減衰力特性図である。
【図６】既存のダンパの減衰力特性図である。
【図７】南海トラフ沿い地震を想定した地震波を入力した場合の建物の地震波に対する応答を示した図である。
【図８】上町断層を震源とした地震（レベル３Ｂ）を想定した地震波を入力した場合の建物の地震波に対する応答を示した図である。
【図９】上町断層を震源とした地震（レベル３Ｃ）を想定した地震波を入力した場合の建物の地震波に対する応答を示した図である。
【図１０】一実施の形態の一変形例における免震用ダンパの概略断面図である。
【発明を実施するための形態】
【００１４】
以下に、図示した実施の形態に基づいて、この発明を説明する。一実施の形態における免震用ダンパＤは、図１に示すように、シリンダ１と、シリンダ１内に摺動自在に挿入されてシリンダ１内を伸側室Ｒ１と圧側室Ｒ２とに区画するピストン２と、シリンダ1内に移動自在に挿入されてピストン２に連結されるロッド３と、伸側室Ｒ１と圧側室Ｒ２とを連通する伸側通路４と圧側通路５と、リザーバＲと、圧側室Ｒ２とリザーバＲとを連通する排出通路６と、伸側通路４と圧側通路５と排出通路６のそれぞれに設けた減衰部Ｖ１，Ｖ２，Ｖ３とを備えて構成されている。
【００１５】
また、免震用ダンパＤは、図示はしないが、たとえば、地盤と構造物との間にボールアイソレータや積層ゴム等といった弾性体とともに介装されて使用され、免震装置の一部として機能する。
【００１６】
以下、各部について説明する。シリンダ１内には、前述の通り、ピストン２が軸方向へ移動自在に挿入されており、シリンダ１内がピストン２によって伸側室Ｒ１と圧側室Ｒ２とに仕切られている。シリンダ１の外周側には、このシリンダ１を覆う外筒７が設けられており、シリンダ１と外筒７との間の環状隙間でリザーバＲを形成している。外筒７の図１中左端は、内周にロッド３が挿通されてロッド３の軸方向の移動を案内する環状のロッドガイド８によって閉塞されている。ロッド３は、シリンダ１内に挿入されていて、一端がピストン２に連結されるとともに他端がシリンダ１外に突出している。
【００１７】
また、シリンダ１の図１中右端は、ボトム部材９にて閉塞され、外筒７の図１中右端は蓋１０によって閉塞されている。シリンダ１は、ボトム部材９とともに、外筒７の両端に固定される前述のロッドガイド８と蓋１０で挟持されて外筒７内に収容固定されている。
【００１８】
伸側室Ｒ１内と圧側室Ｒ２内には、この場合、作動油が充填されており、リザーバＲ内にも作動油が貯留されている。本例では、免震用ダンパＤの作動媒体として作動油を使用しているが、作動油以外の液体を使用してもよく、水、水溶液等の使用も可能である。
【００１９】
ピストン２には、伸側室Ｒ１と圧側室Ｒ２とを連通する伸側通路４と圧側通路５が設けられている。伸側通路４には、減衰部Ｖ１が設けられ、圧側通路５には、減衰部Ｖ２が設けられている。減衰部Ｖ１は、調圧弁ＰＶと調圧弁ＰＶに並列されるリリーフ弁ＲＶとを備えており、伸側通路４を伸側室Ｒ１から圧側室Ｒ２へ通過する作動油の流れのみを許容しつつこの流れに対して抵抗を与え、伸側通路４を一方通行の通路に設定する。減衰部Ｖ２は、減衰部Ｖ１と同様に調圧弁ＰＶと調圧弁ＰＶに並列されるリリーフ弁ＲＶとを備えており、圧側通路５を圧側室Ｒ２から伸側室Ｒ１へ通過する作動油の流れのみを許容しつつこの流れに抵抗を与え、圧側通路５を一方通行の通路に設定している。なお、伸側通路４および圧側通路５は、本例では、ともに、ピストン２に設けられているが、設置箇所はピストン２に限られず、たとえば、シリンダ１外で伸側室Ｒ１と圧側室Ｒ２を連通するように構成されてもよい。
【００２０】
ボトム部材９には、圧側室Ｒ２とリザーバＲとを連通する排出通路６と吸込通路１１が設けられている。排出通路６には、減衰部Ｖ３が設けられている。減衰部Ｖ３は、減衰部Ｖ１，Ｖ２と同様に、調圧弁ＰＶと調圧弁ＰＶに並列されるリリーフ弁ＲＶとを備えており、排出通路６を圧側室Ｒ２からリザーバＲへ通過する作動油の流れのみを許容しつつこの流れに対して抵抗を与え、排出通路６を一方通行の通路に設定している。吸込通路１１には、リザーバＲから圧側室Ｒ２へ向かう作動油の流れのみを許容するチェック弁１２が設けられており、吸込通路１１は、このチェック弁１２によってリザーバＲから圧側室Ｒ２へ向かう作動油の流れのみを許容する一方通行の通路に設定されている。なお、排出通路６と吸込通路１１は、本例では、ともに、ボトム部材９に設けられているが、設置箇所はボトム部材９に限られない。
【００２１】
上記のように構成された免震用ダンパＤは、伸長する場合、ピストン２の図１中左方への移動によって伸側室Ｒ１が圧縮されて圧側室Ｒ２が拡大されるので、作動油は伸側通路４を介して伸側室Ｒ１から圧側室Ｒ２へ移動する。また、免震用ダンパＤの伸長時には、ロッド３がシリンダ１から退出するため、ロッド３のシリンダ１から退出した体積分の作動油が吸込通路１１を介してリザーバＲからシリンダ１内に供給される。そして、伸側室Ｒ１から圧側室Ｒ２へ向かう作動油の流れに対して減衰部Ｖ１が抵抗を与えるので、伸側室Ｒ１内の圧力が上昇して伸側室Ｒ１と圧側室Ｒ２の圧力に差が生じ、これにより、免震用ダンパＤは、伸長を抑制する伸側減衰力を発揮する。
【００２２】
また、免震用ダンパＤは、収縮する場合、ピストン２の図１中右方への移動によって圧側室Ｒ２が圧縮されて伸側室Ｒ１が拡大されるので、作動油は圧側通路５を介して圧側室Ｒ２から伸側室Ｒ１へ移動する。また、免震用ダンパＤの収縮時には、ロッド３がシリンダ１内に侵入するため、ロッド３のシリンダ１内へ侵入した体積分の作動油が排出通路６を介してシリンダ１内からリザーバＲに排出される。そして、圧側室Ｒ２から伸側室Ｒ１へ向かう作動油の流れに対して減衰部Ｖ２が、圧側室Ｒ２からリザーバＲへ向かう作動油の流れに対して減衰部Ｖ３が、それぞれ抵抗を与える。これにより、圧側室Ｒ２内の圧力が上昇して圧側室Ｒ２と伸側室Ｒ１の圧力に差が生じて、免震用ダンパＤは、収縮を抑制する圧側減衰力を発揮する。
【００２３】
つづいて、減衰部Ｖ１，Ｖ２，Ｖ３について説明する。減衰部Ｖ１，Ｖ２，Ｖ３は、ともに同一の構成の調圧弁ＰＶと、調圧弁ＰＶに並列配置されるリリーフ弁ＲＶとを備えている。調圧弁ＰＶは、ばねで附勢されて常閉型に設定されており、上流の圧力に応じて開弁度合を変化させて、作動油の流れに抵抗を与えるようになっている。ここで、減衰部Ｖ１，Ｖ２，Ｖ３を通過する流量は、免震用ダンパＤが伸縮する際の伸縮速度であるピストン速度に比例する。よって、免震用ダンパＤのピストン速度が低速域にある場合には、減衰部Ｖ１，Ｖ２，Ｖ３を通過する流量は少なく、ピストン速度が高速域にある場合には前記流量は多く、ピストン速度が低速域と高速域の中間である中速域にある場合には、前記流量は中程度となる。そして、調圧弁ＰＶの単体の圧力流量特性は、図２に示すように、免震用ダンパＤの伸縮速度であるピストン速度が低速域にある場合には、ピストン速度の上昇に対して圧力の増加割合が小さい特性を示す。また、調圧弁ＰＶの単体の圧力流量特性は、他方、ピストン速度が低速域と高速域の中間である中速域に達すると、ピストン速度の上昇に対して圧力が大きく増加する特性を示す。
【００２４】
なお、調圧弁ＰＶは、たとえば、特許第５５０８８８３号に開示されている構造を採用すれば実現できる。具体的には、調圧弁ＰＶは、図３に示すように、通路の途中に設けた弁座１００と、通路中に移動自在に収容されて弁座１００に離着座する弁体１０１と、弁体１０１を弁座１００へ向けて附勢するばね１０２と、弁体１０１が弁座１００からの後退量が所定量となると弁体１０１に衝合して弁体１０１の弁座１００からのそれ以上の後退を規制するストッパ１０３とを備えればよい。このように構成された調圧弁ＰＶは、ピストン速度が低速域では、上流の圧力によってばね１０２が押し縮められ弁体１０１が弁座１００から離座して開弁し、ピストン速度の上昇に伴って弁体１０１の弁座１００から後退量が増加する。このように、ピストン速度が低速域にある場合、ピストン速度の上昇によって開弁度合が大きくなるので、調圧弁ＰＶの圧力流量特性は、図２に示すように、傾きが小さい特性を示す。他方、ピストン速度が上昇して中速域に達すると、弁体１０１の後退量が増加し、ピストン速度が中速域に達すると弁体１０１がストッパ１０３に衝合して弁体１０１のそれ以上の弁座１００からの後退が規制される。このように、ピストン速度が中速域にある場合、ピストン速度が上昇しても開弁度合が一定のままとなるので、調圧弁ＰＶの圧力流量特性は、図２に示すように、傾きが大きな特性を示す。よって、ピストン速度が低速域から中速域へ上昇すると、調圧弁ＰＶは、傾きが大きくなって圧力上昇が大きくなる特性を示す。なお、ピストン速度が中速域にある場合における調圧弁ＰＶの圧力流量特性は、流量の二乗に比例するオリフィス特性であっても流量に比例するポート特性であってもよい。
【００２５】
また、ストッパ１０３によって弁体１０１の後退量を規制する以外にも、弁体１０１よりも下流に絞り部を設ける構造も採用できる。このような調圧弁ＰＶでは、弁座１００と弁体１０１との間の流路面積が所定値以上となると、弁座１００と弁体１０１とで作動油の流れに与える抵抗よりも絞り部が作動油の流れに与える抵抗の方が大きくなるように設定すればよい。前記所定値は、絞り部の流路面積により設定でき、このように構成される調圧弁ＰＶは、ピストン速度が低速域では、上流の圧力によってばね１０２が押し縮められ弁体１０１が弁座１００から離座して開弁し、ピストン速度の上昇に伴って弁体１０１の弁座１００から後退量が増加する。このように、ピストン速度が低速域にある場合、ピストン速度の上昇によって開弁度合が大きくなるので、調圧弁ＰＶの圧力流量特性は、図２に示すように、ピストン速度の増加に対して圧力増加の小さい特性を示す。他方、ピストン速度が上昇して中速域に達すると、弁体１０１の後退量が増加し、流路面積が所定値以上となり、絞り部の特性が表れるようになり、絞り部の流路面積は一定であるので、調圧弁ＰＶは、ピストン速度の増加に対する圧力増加が大きくなる特性を示す。
【００２６】
他方、リリーフ弁ＲＶは、前後の差圧が所定の開弁圧に達すると開弁するが、ピストン速度が高速域に達するまでは開弁しないようにその開弁圧が設定されている。リリーフ弁ＲＶの開弁後の圧力流量特性は、ピストン速度の上昇に対して圧力の増加割合が小さい特性となっている。よって、調圧弁ＰＶとリリーフ弁ＲＶを組み合わせた減衰部Ｖ１，Ｖ２，Ｖ３は、図４に示す圧力流量特性を備える。具体的には、減衰部Ｖ１，Ｖ２，Ｖ３は、ピストン速度が低速域及び中速域にある場合には、調圧弁ＰＶの特性が示し、ピストン速度が高速域に達するとリリーフ弁ＲＶが開弁するのでリリーフ弁ＲＶの特性を示す。
【００２７】
免震用ダンパＤは、以上のように構成されるが、前述のように、免震用ダンパＤが伸長すると、作動油は伸側通路４を介して伸側室Ｒ１から圧側室Ｒ２へ移動し、ロッド３のシリンダ１から退出した体積分の作動油が吸込通路１１を介してリザーバＲからシリンダ１内に供給される。そして、伸側室Ｒ１から圧側室Ｒ２へ向かう作動油の流れに対して減衰部Ｖ１が抵抗を与えるので、これにより、免震用ダンパＤは、伸長を抑制する伸側減衰力を発揮する。ここで、減衰部Ｖ１の圧力流量特性は、図４に示す通りである。免震用ダンパＤが伸長する際に、減衰部Ｖ１を通過する流量は、伸長速度であるピストン速度に比例する。よって、免震用ダンパＤが発揮する減衰力特性は、図５に示すように、減衰部Ｖ１の圧力流量特性と同様の特性となる。それゆえ、免震用ダンパＤは、ピストン速度が低速域では減衰係数が小さくピストン速度の上昇に対して減衰力の増加割合が小さい低減衰力を発揮する。また、免震用ダンパＤは、ピストン速度が低速域から中速域へ増加すると減衰係数が切換わって大きくなり、ピストン速度の上昇に対して減衰力の増加割合が大きな減衰力特性を発揮する。さらに、免震用ダンパＤは、ピストン速度が中速域から高速域へ増加するとリリーフ弁ＲＶが開弁するので減衰係数が切換わって小さくなり、ピストン速度の上昇に対して減衰力の増加割合が小さくなるが高減衰力を発揮する。なお、ピストン速度が中速域にある場合、免震用ダンパＤは、ピストン速度の増加に応じて、前記低減衰力から前記高減衰力へと変化する減衰力を発揮する。図５に示したところでは、低速域と中速域の境を６０ｃｍ／ｓとし、中速域と高速域の境を９０ｃｍ／ｓとしているが、これは一例であって、後述するように構造物の仕様等によって最適な値に設定すればよい。
【００２８】
他方、免震用ダンパＤが収縮すると、作動油は圧側通路５を介して圧側室Ｒ２から伸側室Ｒ１へ移動し、ロッド３のシリンダ１内へ侵入した体積分の作動油が排出通路６を介してシリンダ１内からリザーバＲに排出される。そして、圧側室Ｒ２から伸側室Ｒ１へ向かう作動油の流れに対して減衰部Ｖ２が、圧側室Ｒ２からリザーバＲへ向かう作動油の流れに対して減衰部Ｖ３が、それぞれ抵抗を与える。ここで、減衰部Ｖ２，Ｖ３の圧力流量特性も減衰部Ｖ１と同様に図４に示す通りである。よって、免震用ダンパＤは、図５に示すように、ピストン速度が低速域では減衰係数が小さくピストン速度の上昇に対して減衰力の増加割合が小さい低減衰力を発揮する。また、免震用ダンパＤは、ピストン速度が低速域から中速域へ増加すると減衰係数が切換わって大きくなり、ピストン速度の上昇に対して減衰力の増加割合が大きな減衰力特性を発揮する。さらに、免震用ダンパＤは、ピストン速度が中速域から高速域へ増加するとリリーフ弁ＲＶが開弁するので減衰係数が切換わって小さくなり、ピストン速度の上昇に対して減衰力の増加割合が小さくなるが高減衰力を発揮する。なお、ピストン速度が中速域にある場合、免震用ダンパＤは、ピストン速度の増加に応じて、前記低減衰力から前記高減衰力へと変化する減衰力を発揮する。
【００２９】
つまり、この免震用ダンパＤにあっては、ピストン速度が低い場合には、低い減衰力しか発揮せずに構造物への振動絶縁性を阻害せず、ピストン速度が高速に達する大きな振動が構造物に作用する場面では高い減衰力を発揮するので、構造物の振動を高減衰力で抑制できる。よって、本発明の免震用ダンパＤによれば、比較的揺れの小さい中小規模の地震動に対しては免震効果を損なわず、かつ、大振幅の地震動に対しては高い減衰力を発して、効果的に振動を抑制できる。また、免震用ダンパＤは、大振幅の地震動に対して高減衰力を発揮するので、構造物の免震装置からの脱落を防止できる。
【００３０】
また、免震用ダンパＤは、ピストン速度が中速域にある場合には、減衰係数を大きくして低減衰力から高減衰力へ変化する減衰力特性を示すので、低減衰力から高減衰力への切換わりにおいて構造物へ急激な加速度変動を作用させずに済み、構造物の保護と構造物内の人や機器への過剰な負荷をかけずに済む。
【００３１】
さらに、本例の免震用ダンパＤにあっては、伸側通路４、圧側通路５と排出通路６のそれぞれに設けた調圧弁ＰＶと調圧弁ＰＶに並列されるリリーフ弁ＲＶとを備え、調圧弁にてピストン速度が低速域から中速域までの減衰力特性を得るとともに、リリーフ弁にて前記ピストン速度が前記高速域の減衰力特性を得る。このように免震用ダンパＤが構成されるので、簡単な構成でピストン速度に応じて低減衰力から高減衰力へ変化する減衰力特性を実現できる。
【００３２】
なお、減衰力特性が変化する境界である、ピストン速度の低速域と中速域の境界速度、および、ピストン速度の中速度と高速度の境界速度は、免震用ダンパＤに要求される仕様によって、設計者が任意に設定できる。ピストン速度の低速域と中速域の境界速度が決まれば、流量が決まるので、前述の調圧弁ＰＶにおけるストッパ１０３で規制する弁体１０１の後退量とばね１０２のばね定数を決定できる。また、ピストン速度の中速度と高速度の境界速度が決まれば、リリーフ弁ＲＶの開弁圧を決定できる。
【００３３】
弾性支承された建物（構造物）と地盤との間に、ピストン速度が速くなるとリリーフ弁が開弁して減衰係数が小さくなる既存のダンパを組み込んだ場合（ケース１）と、前記既存ダンパの代わりに本発明の免震用ダンパＤを組み込んだ場合（ケース２）とで振動解析した比較結果を以下に示す。
【００３４】
振動解析の前提として、建物は、１５階建ての鉄筋コンクリート造（ＲＣ造）として、建物と地盤との間に天然ゴム系積層ゴムと鉛プラグ入り積層ゴムを介装して建物を弾性支承して地震動の伝搬を絶縁する構造を想定する。鉛プラグ入り積層ゴムは、積層ゴムがばねとして機能し、鉛プラグが積層ゴムの弾性変形を減衰する機能を発揮するものである。
【００３５】
また、振動解析は、長周期地震動として南海トラフ沿い地震と、直下型地震として上町断層を震源とした地震（レベル３Ｂとレベル３Ｃ）を想定して建物に振動を入力してその応答を解析した。南海トラフ沿い地震を想定した建物に入力する地震波の最大加速度は５４５．４ｃｍ／ｓ２、最大速度は６８．６ｃｍ／ｓ、継続時間は６５５．３ｓとした。上町断層震源（レベル３Ｂ）の地震を想定した建物に入力する地震波の最大加速度は３８７．０ｃｍ／ｓ２、最大速度は９７．４ｃｍ／ｓ、継続時間は４１．０ｓとした。上町断層震源（レベル３Ｃ）の地震を想定した建物に入力する地震波の最大加速度は６２５．０ｃｍ／ｓ２、最大速度は１２９．４ｃｍ／ｓ、継続時間は４１．０ｓとした。
【００３６】
なお、前述の既存のダンパの減衰力特性は、図６に示す通りであり、低速域では減衰係数が大きく、ピストン速度が３０ｃｍ／ｓを過ぎたあたりからリリーフ弁が開弁して減衰係数が小さくなる特性としてある。既存のダンパと免震用ダンパＤの設置本数は、前述の地震波の入力によって建物の１階層の変位が一致するように設定した。具体的には、免震用ダンパＤの設置数は１０本、既存のダンパの設置数は８本として解析している。
【００３７】
解析結果として、南海トラフ沿い地震を想定した地震波を入力した場合の建物の地震波に対する応答を図７に示し、上町断層を震源とした地震（レベル３Ｂ）を想定した地震波を入力した場合の建物の地震波に対する応答を図８に示し、上町断層を震源とした地震（レベル３Ｃ）を想定した地震波を入力した場合の建物の地震波に対する応答を図９に示す。各図では、建物の各層の絶対加速度、変位および層間変形角について応答結果をそれぞれグラフ化したものであり、ケース１とケース２で比較しやすいように同じグラフ中に結果を記載してある。
【００３８】
図７から図９に示すように、全ての地震波に対し、本発明の免震用ダンパＤの方が既存のダンパに比較して、絶対加速度、変位および層間変形角がおおむね小さくなり、本発明の免震用ダンパＤの利用によって免震効果を損なわず、かつ、建物の振動を効果的に抑制できているのが分かる。また、本発明の免震用ダンパＤを免震装置に利用すれば、大振幅地震動に対して建物の損傷を小さくできるのが理解できる。なお、本発明の免震用ダンパＤは、新築の建築物の免震装置に組み込んで使用する他、既存の建物の免震装置の既存ダンパの代わりに組み込んでの使用も可能であり、既存の免震装置の性能向上も図れる。
【００３９】
なお、減衰部Ｖ１，Ｖ２，Ｖ３は、図１０に示すように、直列に配置されるオリフィス等の絞り弁Ｏと低圧リリーフ弁ＬＶと、絞り弁Ｏと低圧リリーフ弁ＬＶに対して並列される高圧リリーフ弁ＨＶとで構成されてもよい。この場合の減衰部Ｖ１，Ｖ２，Ｖ３は、ともに同一の構成の絞り弁Ｏと低圧リリーフ弁ＬＶと、高圧リリーフ弁ＨＶを備える。低圧リリーフ弁ＬＶは、ばねで附勢されて常閉型に設定されており、上流の圧力に応じて開弁度合を変化させて、作動油の流れに抵抗を与えるようになっている。高圧リリーフ弁ＨＶもばねで附勢されて常閉型に設定されており、上流の圧力に応じて開弁度合を変化させて、作動油の流れに抵抗を与えるが、低圧リリーフ弁ＬＶよりも高い開弁圧で開弁するように設定されている。絞り弁Ｏの開口面積は、低圧リリーフ弁ＬＶが最大限に開弁した際の流路面積よりも狭くなるよう設定される。
【００４０】
このように構成される減衰部Ｖ１，Ｖ２，Ｖ３の圧力流量特性は、図４に示すが如くとなり、ピストン速度が低速域にある場合には、低圧リリーフ弁ＬＶが開弁してピストン速度の上昇に対して圧力の増加割合が小さい特性を示す。また、減衰部Ｖ１，Ｖ２，Ｖ３の圧力流量特性は、ピストン速度が低速域と高速域の中間である中速域に達すると、低圧リリーフ弁ＬＶの流路面積が絞り弁Ｏの開口面積よりも大きくなるため、絞り弁Ｏの特性が表れ、減衰係数が大きくなってピストン速度の上昇に対して圧力が大きく増加する特性を示す。さらに、減衰部Ｖ１，Ｖ２，Ｖ３の圧力流量特性は、ピストン速度が高速域に達すると、高圧リリーフ弁ＨＶが開弁して絞り弁Ｏの特性から高圧リリーフ弁ＨＶの特性が表れるようになり、ピストン速度の上昇に対して圧力の増加割合が小さい特性を示すようになる。
【００４１】
このように減衰部Ｖ１，Ｖ２，Ｖ３を構成しても、免震用ダンパＤは、調圧弁ＰＶとリリーフ弁ＲＶを組み合わせた減衰部Ｖ１，Ｖ２，Ｖ３と略同じ減衰力特性を発揮する。よって、このように図１０に示した減衰部Ｖ１，Ｖ２，Ｖ３を用いても免震用ダンパＤは、図５に示すように、ピストン速度が低速域にある場合には低減衰力を発揮し、ピストン速度が中速域にある場合には、ピストン速度の増加に応じて低減衰力から高減衰力へと変化する減衰力を発揮し、ピストン速度が高速域にある場合には高減衰力を発揮する。このように構成される免震用ダンパＤにあっても、ピストン速度が低い場合には、低い減衰力しか発揮せずに構造物への振動絶縁性を阻害せず、ピストン速度が高速に達する大きな振動が構造物に作用する場面では高い減衰力を発揮するので、構造物の振動を高減衰力で抑制できる。よって、本発明の免震用ダンパＤによれば、比較的揺れの小さい中小規模の地震動に対しては免震効果を損なわず、かつ、大振幅の地震動に対しては高い減衰力を発して、効果的に振動を抑制できる。
【００４２】
以上、本発明の好ましい実施の形態を詳細に説明したが、特許請求の範囲から逸脱しない限り、改造、変形及び変更が可能である。
【符号の説明】
【００４３】
１・・・シリンダ、２・・・ピストン、３・・・ロッド、４・・・伸側通路、５・・・圧側通路、６・・・排出通路、７・・・外筒、８・・・ロッドガイド、９・・・ボトム部材、１０・・・蓋、１１・・・吸込通路、１２・・・チェック弁、１００・・・弁座、１０１・・・弁体、１０２・・・ばね、１０３・・・ストッパ、Ｄ・・・免震用ダンパ、ＨＶ・・・高圧リリーフ弁、ＬＶ・・・低圧リリーフ弁、Ｏ・・・絞り弁、ＰＶ・・・調圧弁、Ｒ１・・・伸側室、Ｒ２・・・圧側室、ＲＶ・・・リリーフ弁
【図１】
2018003853.tif 000003
【図２】
2018003853.tif 000004
【図３】
2018003853.tif 000005
【図４】
2018003853.tif 000006
【図５】
2018003853.tif 000007
【図６】
2018003853.tif 000008
【図７】
2018003853.tif 000009
【図８】
2018003853.tif 000010
【図９】
2018003853.tif 000011
【図１０】
2018003853.tif 000012